(57)【要約】      （修正有）【課題】ランドセルの背負いベルトの取付構造において、一対のアームを金具本体から分離した状態で、その金具本体を背板に取付けた後、背負いベルト付きのアームを着脱自在に金具本体に取付けられるようにし、アームが邪魔となることなく、ランドセルの各部の縫製が容易に行なえるようにするランドセルの背負いベルトの取付構造を提供する。【解決手段】金具本体３のベースボディに予め雌ねじ体７を取付けた状態で、それを背板１に固定する。そして、かばん各部を縫製した後、アーム６を金具本体３の上端開口から挿入し、その枢着孔４と雌ねじ体７とを整合させ、金具本体３の外面側からボルト挿通孔８を介してアーム用ボルト９を枢着孔４に挿通し、その先端を雌ねじ体７に螺着する。【選択図】図１
0003163256.tif 000002
【実用新案登録請求の範囲】
【請求項１】
ランドセルの背板(1)の上端部中央に固定され、その上端が開口(2)した中空で偏平な金具本体(3)と、
その金具本体(3)の上端の開口(2)からその内部に先端側が挿通され、その先端部の枢着孔(4)が金具本体(3)に軸支され、後端に背負いベルト(5)の上端が止着される一対のアーム(6)と、
を具備するランドセルの背負いベルトの取付構造において、
前記金具本体(3)は、前記背板(1)側のベースボディ(3a)とそれに対向する蓋ボディ(3b)とを有し、そのベースボディ(3a)に予め雌ねじ体(7)が設けられる共に、それに整合する位置で蓋ボディ(3b)の外面に一対のボルト挿通孔(8)が開孔され、
その金具本体(3)が前記背板(1)に固定された状態で、前記各アーム(6)の先端側がその上端の開口(2)から金具本体(3)の内部に挿脱自在に挿入されて、そのアーム(6)の先端部に設けた前記枢着孔(4)が前記雌ねじ体(7)とボルト挿通孔(8)との間に位置され、その金具本体(3)の外面側からそのボルト挿通孔(8)を介して、アーム用ボルト(9)をアーム(6)の枢着孔(4)に挿通すると共に、その先端部をその雌ねじ体(7)に着脱自在に螺着できるように構成したことを特徴とするランドセルの背負いベルトの取付構造。
【請求項２】
ランドセルの背板(1)の上端部中央に固定され、その上端が開口(2)した中空で偏平な金具本体(3)と、
その金具本体(3)の上端の開口(2)からその内部に先端側が挿通され、その先端部の枢着孔(4)が金具本体(3)に軸支され、後端に背負いベルト(5)の上端が止着される一対のアーム(6)と、
各アーム(6)に止着して、アーム(6)を金具本体(3)の長手方向の中心側に付勢するアームスプリング(10)と、
を具備するランドセルの背負いベルトの取付構造において、
前記金具本体(3)は、前記背板(1)側のベースボディ(3a)とそれに対向する蓋ボディ(3b)とを有し、そのベースボディ(3a)に予め雌ねじ体(7)が設けられる共に、それに整合する位置で蓋ボディ(3b)の外面に一対のボルト挿通孔(8)が開孔され、さらにその雌ねじ体(7)に隣接して前記アームスプリング(10)が内装され、
そのアームスプリング(10)のアーム係止部(10a) に対向してアームガイド(11)が設けられ、そのアームガイド(11)とアーム係止部(10a) との距離Ｗ１がアーム(6)の幅Ｗより小に形成され、
その金具本体(3)が前記背板(1)に固定された状態で、前記各アーム(6)の先端側がその上端の開口(2)から金具本体(3)の内部に挿脱自在に挿入されて、それがそのアームガイド(11)とアーム係止部(10a) の間に圧入され、そのアーム係止部(10a) がアーム(6)に係脱自在に係止されて、そのアーム(6)が金具本体(3)の前記中心側に付勢されると共に、
アーム(6)の枢着孔(4)が前記雌ねじ体(7)とボルト挿通孔(8)との間に位置され、アーム用ボルト(9)を金具本体(3)の外面のボルト挿通孔(8)を介して、その枢着孔(4)に挿通して、その雌ねじ体(7)に着脱自在に螺着できるように構成したことを特徴とするランドセルの背負いベルトの取付構造。
【請求項３】
請求項１または請求項２に記載のランドセルの背負いベルトの取付構造において、
一対の前記ボルト挿通孔(8)の孔縁部に、それぞれ複数のスリット(12)がその周方向に離間して配置され、
一対の前記ボルト挿通孔(8)が、それぞれ閉塞される一対のキャップ(13)を有し、そのキャップ(13)は平面円形のキャップ本体(13a)とその裏面に突設された複数の爪部(13b)とを有し、その爪部(13b)が前記スリット(12)の縁に係止されるように構成されたランドセルの背負いベルトの取付構造。
【請求項４】
請求項１または請求項２に記載のランドセルの背負いベルトの取付構造において、
一対の前記ボルト挿通孔(8)の孔縁部に、それぞれスリット(12)が配置され、
一対の前記ボルト挿通孔(8)が、同時に閉塞される一つの細長い閉塞プレート(14)を有し、その閉塞プレート(14)の長手方向の両端部の裏面に複数の爪部(15)が突設され、それぞれの爪部(15)が前記スリット(12)の縁に係止されるように構成されたランドセルの背負いベルトの取付構造。
【請求項５】
請求項４に記載のランドセルの背負いベルトの取付構造において、
閉塞プレート(14)の表面には、外周の枠部内に凹陥した細長いシール貼着部(16)が設けられ、その貼着部(16)にネーム記載用シール、キャラクタシール等のシール(17)が貼着できるように構成されたランドセルの背負いベルトの取付構造。
【請求項６】
請求項１〜請求項５のいずれかのランドセルの背負いベルトの取付構造において、
前記金具本体(3)の蓋ボディ(3b)の外面に、それに整合する内周を有する樹脂カバー(18)および革カバー(19)が順に被着され、
その樹脂カバー(18)および革カバー(19)には、前記ボルト挿通孔(8)に整合する位置にそれぞれ第２ボルト挿通孔(20)、第３ボルト挿通孔(21)が形成され、その革カバー(19)が前記ランドセルの背板に縫着されるランドセルの背負いベルトの取付構造。
【考案の詳細な説明】
【技術分野】
【０００１】
本考案はランドセルの背負いベルトの取付構造に関し、特に背負いベルトを取付けたアームをランドセル全体の縫製後、着脱自在にその金具本体に取付けることができるものに関する。
【背景技術】
【０００２】
従来のランドセルの背負いベルトの取付金具は、その金具本体の内部に一対のアームの先端側を軸支し、金具全体を完成した状態でランドセルの背板に取付け、かばんの各部を縫製するものである。このアームの上端には背負いベルトの挿通孔が形成され、そこにベルトをＵ字状に差込んで止め具で止めていた。なお、アームはそれぞれスプリングによって金具の長手方向中心側に付勢されていた。
【先行技術文献】
【特許文献】
【０００３】
【特許文献１】実用新案登録第３１３３４５７号公報
【特許文献２】特開２００７−２７５１６６号公報
【特許文献３】特開２００６−３１４３９６号公報
【特許文献４】特開２００４−２３７０７２号公報
【考案の概要】
【考案が解決しようとする課題】
【０００４】
ベルトの取付金具全体をすべて組立てた状態で、ランドセルの背板にそれを取付けると、その金具本体から突設された一対のアームおよびそれに固定される背負いベルトが邪魔となり、かばんの縫製がしにくい欠点がある。仮に、背負いベルトなしのアームを金具本体に取付けたとしても、そのアーム自体の上端部が大きく金具本体から飛び出している為、それが邪魔となり、かばん各部の縫製が面倒である欠点があった。
そこで、本考案はかばんの縫製後に一対のアームを後から着脱自在に取付けることができるランドセルの背負いベルトの取付構造を提供することを課題とする。
【課題を解決するための手段】
【０００５】
請求項１に記載の本考案は、ランドセルの背板(1)の上端部中央に固定され、その上端が開口(2)した中空で偏平な金具本体(3)と、
その金具本体(3)の上端の開口(2)からその内部に先端側が挿通され、その先端部の枢着孔(4)が金具本体(3)に軸支され、後端に背負いベルト(5)の上端が止着される一対のアーム(6)と、
を具備するランドセルの背負いベルトの取付構造において、
前記金具本体(3)は、前記背板(1)側のベースボディ(3a)とそれに対向する蓋ボディ(3b)とを有し、そのベースボディ(3a)に予め雌ねじ体(7)が設けられる共に、それに整合する位置で蓋ボディ(3b)の外面に一対のボルト挿通孔(8)が開孔され、
その金具本体(3)が前記背板(1)に固定された状態で、前記各アーム(6)の先端側がその上端の開口(2)から金具本体(3)の内部に挿脱自在に挿入されて、そのアーム(6)の先端部に設けた前記枢着孔(4)が前記雌ねじ体(7)とボルト挿通孔(8)との間に位置され、その金具本体(3)の外面側からそのボルト挿通孔(8)を介して、アーム用ボルト(9)をアーム(6)の枢着孔(4)に挿通すると共に、その先端部をその雌ねじ体(7)に着脱自在に螺着できるように構成したことを特徴とするランドセルの背負いベルトの取付構造である。
【０００６】
請求項２に記載の本考案は、ランドセルの背板(1)の上端部中央に固定され、その上端が開口(2)した中空で偏平な金具本体(3)と、
その金具本体(3)の上端の開口(2)からその内部に先端側が挿通され、その先端部の枢着孔(4)が金具本体(3)に軸支され、後端に背負いベルト(5)の上端が止着される一対のアーム(6)と、
各アーム(6)に止着して、アーム(6)を金具本体(3)の長手方向の中心側に付勢するアームスプリング(10)と、
を具備するランドセルの背負いベルトの取付構造において、
前記金具本体(3)は、前記背板(1)側のベースボディ(3a)とそれに対向する蓋ボディ(3b)とを有し、そのベースボディ(3a)に予め雌ねじ体(7)が設けられる共に、それに整合する位置で蓋ボディ(3b)の外面に一対のボルト挿通孔(8)が開孔され、さらにその雌ねじ体(7)に隣接して前記アームスプリング(10)が内装され、
そのアームスプリング(10)のアーム係止部(10a) に対向してアームガイド(11)が設けられ、そのアームガイド(11)とアーム係止部(10a) との距離Ｗ１がアーム(6)の幅Ｗより小に形成され、
その金具本体(3)が前記背板(1)に固定された状態で、前記各アーム(6)の先端側がその上端の開口(2)から金具本体(3)の内部に挿脱自在に挿入されて、それがそのアームガイド(11)とアーム係止部(10a) の間に圧入され、そのアーム係止部(10a) がアーム(6)に係脱自在に係止されて、そのアーム(6)が金具本体(3)の前記中心側に付勢されると共に、
アーム(6)の枢着孔(4)が前記雌ねじ体(7)とボルト挿通孔(8)との間に位置され、アーム用ボルト(9)を金具本体(3)の外面のボルト挿通孔(8)を介して、その枢着孔(4)に挿通して、その雌ねじ体(7)に着脱自在に螺着できるように構成したことを特徴とするランドセルの背負いベルトの取付構造である。
【０００７】
請求項３に記載の本考案は、請求項１または請求項２に記載のランドセルの背負いベルトの取付構造において、
一対の前記ボルト挿通孔(8)の孔縁部に、それぞれ複数のスリット(12)がその周方向に離間して配置され、
一対の前記ボルト挿通孔(8)が、それぞれ閉塞される一対のキャップ(13)を有し、そのキャップ(13)は平面円形のキャップ本体(13a)とその裏面に突設された複数の爪部(13b)とを有し、その爪部(13b)が前記スリット(12)の縁に係止されるように構成されたランドセルの背負いベルトの取付構造である。
【０００８】
請求項４に記載の本考案は、請求項１または請求項２に記載のランドセルの背負いベルトの取付構造において、
一対の前記ボルト挿通孔(8)の孔縁部に、それぞれスリット(12)が配置され、
一対の前記ボルト挿通孔(8)が、同時に閉塞される一つの細長い閉塞プレート(14)を有し、その閉塞プレート(14)の長手方向の両端部の裏面に複数の爪部(15)が突設され、それぞれの爪部(15)が前記スリット(12)の縁に係止されるように構成されたランドセルの背負いベルトの取付構造である。
【０００９】
請求項５に記載の本考案は、請求項４に記載のランドセルの背負いベルトの取付構造において、
閉塞プレート(14)の表面には、外周の枠部内に凹陥した細長いシール貼着部(16)が設けられ、その貼着部(16)にネーム記載用シール、キャラクタシール等のシール(17)が貼着できるように構成されたランドセルの背負いベルトの取付構造である。
【００１０】
請求項６に記載の本考案は、請求項１〜請求項５のいずれかのランドセルの背負いベルトの取付構造において、
前記金具本体(3)の蓋ボディ(3b)の外面に、それに整合する内周を有する樹脂カバー(18)および革カバー(19)が順に被着され、
その樹脂カバー(18)および革カバー(19)には、前記ボルト挿通孔(8)に整合する位置にそれぞれ第２ボルト挿通孔(20)、第３ボルト挿通孔(21)が形成され、その革カバー(19)が前記ランドセルの背板に縫着されるランドセルの背負いベルトの取付構造である。
【考案の効果】
【００１１】
本考案の背負いベルトの取付構造は、金具本体３を背板１に固定した状態で、その上端の開口２からアーム６を挿脱自在に挿入し、金具本体３の外面側からボルト挿通孔８を介してアーム用ボルト９をアーム６の枢着孔４に挿通するとともに、その先端部を雌ねじ体７に着脱自在に螺着できるようにしたものである。
これにより、かばんの縫製後に背負いベルトが取付けられた一対のアーム６をそれぞれ金具本体３に着脱することができる。そのため、かばんを縫製する際に背負いベルトが邪魔になることなく縫製が容易となる。さらには、かばんの修理メンテナンス時に背負いベルトをそのアーム６ともに分離することができ、修理等が容易に行なえる。
【００１２】
請求項２に記載の考案は、上記構成に加えてアームスプリング10を有し、それがアーム６を金具本体３の長手方向中心側に付勢する場合において、アーム６を挿脱する際に、アームガイド11とアーム係止部10ａとの距離Ｗ１がアーム６の幅Ｗより小に形成され、そこにアーム６が圧入されてアームスプリング10の付勢力によりアーム６が金具本体３の中心側に付勢されるものである。
この考案では、ベルト付きのアーム６を縫製後に金具本体３に挿入しても、それがアームスプリング10に係止され、体格に合わせて一対の背負いベルト間の幅が自動調整される。
【００１３】
上記構成において請求項３に記載のように、ボルト挿通孔８の孔縁部にスリット12を設け、各ボルト挿通孔８にキャップ13を取付けたとき、その爪部13ｂがスリット12の縁に係止されるから、ボルト挿通孔８を体裁の良いキャップ13で閉塞することができる。
上記構成において請求項４に記載のように、一対のボルト挿通孔８を同時に閉塞する細長い閉塞プレート14を設け、その爪部15をボルト挿通孔８の孔縁部のスリット12に係止するように構成した場合には、一対のボルト挿通孔８を容易に且つ、体裁よく同時に閉塞することができる。
【００１４】
上記構成において請求項５に記載のように、閉塞プレート14の表面にその外周の枠部内に凹陥したシール貼着部16を設け、そこにシール17を貼着できるようにした場合には、ネームを記載したり、独自のキャラクタを貼着することができる。それにより、かばんの個性化を図ることが可能となる。
上記構成において請求項６に記載のように、金具本体３の蓋ボディ3bの外面に樹脂カバー18および革カバー19を順に被着し、それぞれに第２ボルト挿通孔20、第３ボルト挿通孔21を設けることができる。それにより、さらに丈夫で体裁の良い背負いベルトの取付構造を提供できる。
【図面の簡単な説明】
【００１５】
【図１】本考案のランドセルの背負いベルトの取付構造を示す説明図。
【図２】同構造の金具本体３の分解斜視図。
【図３】同構造のボルト挿通孔８の取付時の説明図。
【図４】同取付構造に形成されたボルト挿通孔８を閉塞するキャップ13の平面図、一部断面図、底面図。
【図５】同キャップ13の取付手順説明図。
【図６】同構造の一対のボルト挿通孔８を閉塞プレート14によって閉塞する説明図。
【図７】同閉塞プレート14の平面図、一部断面図、底面図。
【図８】図９のVIII-VIII矢視断面図。
【図９】同取付構造の取付状態を示す正面図。
【図１０】図９のシール17の他の例を示す。
【考案を実施するための形態】
【００１６】
（第１実施形態）
次に、図面に基づいて本考案の実施の形態につき説明する。
このランドセルの背負いベルトの取付構造は、図１に示すごとく金具本体３と、その上端開口に挿脱自在に挿入される一対のアーム６とを有する。各アーム６の下端には枢着孔４が設けられ、その上端には環状のベルト通し32が設けられている。そして、そのベルト通し32に背負いベルト５の上端がＵ字状に巻込まれ、止め具24を介してそれが止着される。この一対のアーム６はそれぞれ図１に示すごとく、金具本体３をかばんの背板１に完全に固定すると共に、かばん各部を縫製した後、アーム用ボルト９を介してその金具本体３に着脱自在に軸支されるものである。
【００１７】
その金具本体３は、図２に示す如く、かばんの背板側に位置するベースボディ3ａとそれに対向する蓋ボディ3bとからなる。ベースボディ3ａと蓋ボディ3bはそれぞれ両側部および下端部に立上り部が形成され、それらが嵌着された後に、その一部が折り曲げられてカシメ固定されるものである。ベースボディ3ａの下部の両側部の位置には、雌ねじ体７がカシメ固定される。雌ねじ体７は、この例ではナットからなる。この雌ねじ体７には、図３に示すごとく、そこにアーム６の枢着孔４が整合され、それらにアーム用ボルト９が挿通され、その先端が雌ねじ体７に螺着締結されるものである。また、各雌ねじ体７に隣接したベースボディ3ａの端部側にはアームスプリング10が取付けられる。
【００１８】
このアームスプリング10は、図２に示すごとくバネ材の中心部をコイル状にし、その両端部をＵ字状に曲折するとともに、そのＵ字状の一端部をＬ字状に折り曲げ且つ、そのＬ字状の先端部に鈎部を、蓋ボディ3b側に形成して、そこにアーム係止部10aを設けたものである。そして、アームスプリング10のコイル部がバネ保持体29に挿通され、Ｕ字状の一端が第１バネ座27に支持される。そして、Ｕ字状の他端が第２バネ座28に支持される。この状態がアーム６の挿通前のアームスプリング10の待機状態である。
【００１９】
この待機位置において、図３に示す如く、アーム係止部10ａとそれに対向して立ち上げられたアームガイド11との距離Ｗ１がアーム６の下端部の幅Ｗよりも少し狭くなっている。この状態でアーム６をアームガイド11とアーム係止部10ａとの間に圧入することにより、アームスプリング10はＷ１からＷに押し広げられる。それにより、アーム６の一側がアーム係止部10aに係止されると共に、アームスプリング10の弾発力でアーム６を金具本体３の中心側に常に付勢している。そして、アーム用ボルト９によってアーム６の枢着孔４が軸支されたとき、実線の状態から鎖線の状態まで回動するが、アーム６は常に金具本体３の中心側に復帰しようとする。
【００２０】
ベースボディ3ａの中心部には３つの吊り環ガイド31が三角の各頂点に配置され、そこに吊り環30が図３のごとく取付けられる。さらには、図2に示す如く、ベースボディ3ａの上端両側および中央にはそれぞれ連通孔25が穿設されるとともに、ベースボディ3ａの上縁に沿って凸条26が内面側に突設されている。同様の凸条26は金具本体３の蓋ボディ3b側にも内面側に突設され且つ、その両端および中央に連通孔25が穿設されている。
さらに、雌ねじ体７のねじ孔7aに整合する位置にボルト挿通孔８が設けられ、その孔縁部が環状の凹部34を形成する。この凹部34には、アーム用ボルト９の頭部が着座される。凹部34の外周には、この例では４つのスリット12が周方向に90度ごとに配置されている。
【００２１】
このような金具本体３は、ベースボディ3ａに一対の雌ねじ体７をその内面側にカシメ固定するとともに、一対のアームスプリング10を第１バネ座27、第２バネ座28、バネ保持体29にＵ字状に保持させる。そして、この状態で蓋ボディ3bをベースボディ3ａに被嵌するとともに、両者間をカシメ固定する。このようにしてなる金具本体３の蓋ボディ3b外周には、樹脂カバー18が被着される。この樹脂カバー18には金具本体３の各連通孔25に整合する連通孔25が形成されるとともに、ボルト挿通孔８に中心が整合する十字状の第２ボルト挿通孔20が形成されている。さらにこの樹脂カバー18の外周にはそれより一回り大きな平面を有する革カバー19が設けられ、第２ボルト挿通孔20に整合する位置で、革カバー19に第３ボルト挿通孔21が開口している。
【００２２】
（作用）
金具本体３は、内部に一対の雌ねじ体７と一対のアームスプリング10とが組込まれた状態で、蓋ボディ3bがベースボディ3ａに嵌着され、それらの外周がカシメ固定される。
次いで、その金具本体３を背板１に取付けるには、その外周に樹脂カバー18を被嵌し、その外周にさらに革カバー19を被嵌する。
その状態で、その外側に細長いプレスカバー23を配置すると共に、背板１の内面側にはプレスカバー23と略同形の図示しない裏座が配置され、それぞれの連通孔25が整合されて、そこに止め具24が挿通され、その端部がカシメ固定される。この時、吊り環30が図３のごとくその上端中央から挿入される。
この状態で、革カバー19と背板１との間が縫製糸33により縫着される。そして、かばん各部がこの状態で縫着される。
【００２３】
この時、一対のアーム６は存在しない。そのため、それが縫製に邪魔になることがない。かばん各部の縫製が完全に終了した後、アーム６のベルト通し32に背負いベルト５の上端がＵ字状に折り込まれ、止め具24によって固定される。そして、そのアーム６が金具本体３の上端の開口２から挿入される。この時、図３において前述のごとくアームスプリング10のアーム係止部10ａがアーム６側面に押されて、そのアーム係止部10ａとアームガイド11との間隔Ｗ１がＷに広がる。
【００２４】
そして、枢着孔４と雌ねじ体７のねじ孔7aとを整合させる。その整合は、金具本体３、樹脂カバー18および革カバー19の各挿通孔の外面側から確認することができる。そして、アーム６は雌ねじ体７とそれに対向する蓋ボディ3bの凹部34との間に挿入され、それらの外側から図１のごとくアーム用ボルト９が挿通され、その先端が雌ねじ体７のねじ孔7aに螺着締結される。アーム用ボルト９の頭部は、図２において凹部34に止着される。この状態は図５の(Ａ)、(Ｂ)の状態である。
【００２５】
そして、革カバー19の各ボルト挿通孔の孔縁部にはワッシャ22が配置され、次いでそこにキャップ13が圧入される。キャップ13はそのキャップ本体13ａが平面円形で、その180度離れた両端位置に脚部が裏面側に突出し、その先端に爪部13ｂが設けられている。このようなキャップ13の脚部は弾性変形し、図５(Ａ)〜(Ｃ)のごとく各ボルト挿通孔に圧入される。そして、その爪部13ｂが蓋ボディ3bのスリット12に同図(Ｃ)のごとく係止される。
【００２６】
（第２実施形態）
次に、図６〜図１０は本考案の第２の実施の形態を示し、この形態が前述の図１〜図５のそれと異なる点は、各ボルト挿通孔８の閉塞手段のみである。この例では、一つの閉塞プレート14によって一対の各ボルト挿通孔８を閉塞する。その閉塞前までの各工程は、前述の実施例と全く同一である。閉塞プレート14は一対の各ボルト挿通孔８を同時に被蔽する長さを有し、その両端部に図７、図８に示す一対づつの脚部が突設され、その先端に爪部15が突設されている。
【００２７】
閉塞プレート14の外表面の周囲は枠状に形成され、その内側に凹陥したシール貼着部16が設けられ、そこに各種シール17が被着される。このシール17の例として、図10のものが存在する。(Ａ)はネームプレートとして使用するものであり、(Ｂ)、(Ｃ)はそれぞれキャラクタ又は、模様等によりランドセルを個性化するものである。閉塞プレート14はそれが圧入されて、図８のごとく金具本体３の蓋ボディ3bのスリット12に係止される。
【符号の説明】
【００２８】
１  背板
２  開口
３  金具本体
3a  ベースボディ
3b  蓋ボディ
４  枢着孔
５  背負いベルト
【００２９】
６  アーム
７  雌ねじ体
7a  ねじ孔
８  ボルト挿通孔
９  アーム用ボルト
10  アームスプリング
10a  アーム係止部
【００３０】
11  アームガイド
12  スリット
13  キャップ
13a  キャップ本体
13b  爪部
14  閉塞プレート
15  爪部
【００３１】
16  シール貼着部
17  シール
18  樹脂カバー
19  革カバー  
20  第２ボルト挿通孔
21  第３ボルト挿通孔
22  ワッシャ
【００３２】
23  プレスカバー
24  止め具
25  連通孔
26  凸条
27  第１バネ座
28  第２バネ座
29  バネ保持体
【００３３】
30  吊り環
31  吊り環ガイド
32  ベルト通し
33  縫製糸
34  凹部
【図１】
0003163256.tif 000003
【図２】
0003163256.tif 000004
【図３】
0003163256.tif 000005
【図４】
0003163256.tif 000006
【図５】
0003163256.tif 000007
【図６】
0003163256.tif 000008
【図７】
0003163256.tif 000009
【図８】
0003163256.tif 000010
【図９】
0003163256.tif 000011
【図１０】
0003163256.tif 000012